【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
イメージセンサユニットにおいて、
光源と、
前記光源から発せられた光を被照明体へ導く導光体であって、前記導光体の長手方向の一端を自由端とし、前記長手方向の他端を固定端とした前記導光体と、
前記導光体の前記自由端を覆うことで前記光源から発せられた前記光のうち前記導光体に入光しない前記光を遮る遮光部材と、
を有し、
前記光源は前記導光体の前記自由端と間隙を有して配置されており、前記光源から発せられた前記光のうち前記導光体に入光しない前記光を前記遮光部材で遮るように構成したことを特徴とするイメージセンサユニット。
【請求項２】
前記遮光部材は内部に、前記導光体の短手方向における断面形状よりも大きな開口を有する空間と、
前記空間内で前記導光体と前記遮光部材との間に位置する空気層と、
を有することを特徴とする請求項１に記載のイメージセンサユニット。
【請求項３】
前記開口の形状は、前記断面形状と同一であることを特徴とする請求項２に記載のイメージセンサユニット。
【請求項４】
前記導光体の前記長手方向における前記遮光部材の長さは、温度変動及び湿度変動によって生じる前記導光体の前記長手方向への寸法の変動による伸縮長以上であることを特徴とする請求項１乃至請求項３のいずれか１項に記載のイメージセンサユニット。
【請求項５】
前記導光体の前記固定端は、前記導光体と支持体とを係止する係止手段で前記導光体と支持体とを係止することによって、前記導光体の前記他端が前記固定端となったものであることを特徴とする請求項１乃至請求項４のいずれか１項に記載のイメージセンサユニット。
【請求項６】
さらに、前記他端と間隙を有して前記光源が配置されていることを特徴とする請求項１乃至請求項５のいずれか１項に記載のイメージセンサユニット。
【請求項７】
イメージセンサユニットを有する画像読取装置であって、
前記イメージセンサユニットは、請求項１乃至請求項６のいずれか１項に記載のイメージセンサユニットであることを特徴とする画像読取装置。
【手続補正２】
【補正対象書類名】明細書
【補正対象項目名】０００１
【補正方法】変更
【補正の内容】
【０００１】
本発明は、イメージセンサユニット、及び、イメージセンサユニットを用いた画像読取装置に関する。
【手続補正３】
【補正対象書類名】明細書
【補正対象項目名】０００４
【補正方法】変更
【補正の内容】
【０００４】
【特許文献１】特開２００４−１４６８７０号公報
【手続補正４】
【補正対象書類名】明細書
【補正対象項目名】０００５
【補正方法】変更
【補正の内容】
【０００５】
特許文献１のイメージセンサは、発光素子を導光体の端面に隙間なく当接する状態でケースに取り付け、ケースを長手方向に２分割して、それぞれの分割体間に隙間を形成している。このように、隙間を形成することで、加熱冷却が繰り返された際に導光体が縮んでも隙間が形成されているため、ケースの分割体も導光体と一体的に縮み、導光体端面と発光素子との当接状態は維持されたままとなる。しかしながら、発光素子と導光体との間に間隙を有する構成において、雰囲気温度、及び／又は、雰囲気湿度の変動等による導光体の伸縮時の漏れ光対策は記載されてはいない。
【手続補正５】
【補正対象書類名】明細書
【補正対象項目名】０００６
【補正方法】変更
【補正の内容】
【０００６】
本発明は、光源を導光体と間隙を有して配置する構成において、雰囲気温度、及び／又は、雰囲気湿度の変動等による導光体の伸縮に起因する漏れ光の発生を低減できるイメージセンサユニット、及び、画像読取装置を提供することを目的とする。
【手続補正６】
【補正対象書類名】明細書
【補正対象項目名】０００７
【補正方法】変更
【補正の内容】
【０００７】
本発明のイメージセンサユニットは、光源と、前記光源から発せられた光を被照明体へ導く導光体であって、前記導光体の長手方向の一端を自由端とし、前記長手方向の他端を固定端とした前記導光体と、前記導光体の前記自由端を覆うことで前記光源から発せられた前記光のうち前記導光体に入光しない前記光を遮る遮光部材と、を有し、前記光源は前記導光体の前記自由端と間隙を有して配置されており、前記光源から発せられた前記光のうち前記導光体に入光しない前記光を前記遮光部材で遮るように構成したことを特徴とする。
また、本発明の画像読取装置は、上述したイメージセンサユニットを用いたことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
以上のように、光源を導光体と間隙を有して配置する構成において、雰囲気温度、及び／又は、雰囲気湿度の変動等による導光体の伸縮に起因する漏れ光の発生を低減できる。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
【図１】図１は、本発明を適用したイメージスキャナーの構造を示す斜視図である。
【図２】図２は、イメージセンサユニット４を示す概略図である。
【図３】図３は、導光体１１の副走査方向における断面図である。
【図４】図４は、本発明を適用した実施形態におけるイメージセンサユニット４の構成を示す斜視図である。
【図５】図５は、前記実施形態における遮光部材１６の詳細な形状を示す斜視図である。
【図６】図６は、前記実施形態におけるイメージセンサユニット４について、第一の間隙Ａ、及び、第二の間隙Ｂを示した模式図である。
【図７】図７は、従来のイメージセンサユニット４について、第一の間隙Ａ、及び、第二の間隙Ｂを示した模式図である。
【図８】図８は、導光体の中央部が固定端である参考実施形態におけるイメージセンサユニット４の構成を示す斜視図である。
【図９】図９は、導光体の中央部が固定端である前記実施形態における遮光部材１６の詳細な形状を示す斜視図である。
【図１０】図１０は、導光体の中央部が固定端である前記実施形態におけるイメージセンサユニット４について、第一の間隙Ａ、及び、第二の間隙Ｂを示した模式図である。
【手続補正１３】
【補正対象書類名】明細書
【補正対象項目名】００２９
【補正方法】変更
【補正の内容】
【００２９】
（実施形態）
図４は本発明を適用した実施形態におけるイメージセンサユニット４の構成を示す斜視図、図５は前記実施形態における遮光部材１６の詳細な形状を示す斜視図である。
１６は遮光部材であり、全体として導光体１１の副走査方向における断面形状と略同一な開口形状を備えることで、導光体１１が挿入可能な筒形状に形成されている。
この遮光部材１６は、導光体１１の長手方向における第二の入光面１０１側の端部を覆う位置に設けられると共に、図示しない固定方法によりフレーム１５に固定されるものである。
【手続補正１４】
【補正対象書類名】明細書
【補正対象項目名】００３８
【補正方法】変更
【補正の内容】
【００３８】
一方、本発明を適用した実施形態におけるイメージセンサユニット４にあっては、導光体１１における第一の入光面１００側の端部に凸状の係止爪１７を設けると共に、フレーム１５に導光体１１の係止爪１７に係止される凹状の係止部１８を設ける構成である。これは、導光体１１において第一の入光面１００側を固定端に、第二の入光面１０１側を自由端にすることを示している。
さらに、導光体１１の長手方向における第二の入光面１０１側の端部を覆う位置に遮光部材１６を滑動自在に遊挿される構成である。
【手続補正１５】
【補正対象書類名】明細書
【補正対象項目名】００４２
【補正方法】変更
【補正の内容】
【００４２】
本実施形態では、導光体の一方の端部と支持体とが夫々係止する係止手段を有すると共に、導光体の他方の端部を覆う遮光部材を有することにより、雰囲気温度、及び／又は、雰囲気湿度の変動等に起因する伸縮が導光体の長手方向に生じても導光体と光源との間の設計寸法を維持できることから漏れ光の発生を防止できるため、主走査方向の全域に亘って照度特性を安定できる。
すなわち、雰囲気温度、及び／又は、雰囲気湿度の変動等に起因する伸縮が導光体１１の長手方向に生じても第一の間隙Ａ、及び、第二の間隙Ｂの設計寸法を維持できることから、漏れ光の発生を防止でき、第一の入光面１００、及び、第二の入光面１０１近傍の照度を略均一に保つことができるようになる。これにより、主走査方向の全域に亘って照度特性を安定できることから、安定した画像品質が得られるものである。
また、イメージセンサユニットを大型化することなく漏れ光の発生を防止すると共に、導光体に生じる傷や磨耗等を防止できる。
【手続補正１６】
【補正対象書類名】明細書
【補正対象項目名】００４７
【補正方法】変更
【補正の内容】
【００４７】
（参考実施形態）
図８及び図９に示す実施形態は導光体１１の中央部が固定端であるから、本発明には含まれないが、参考実施形態として説明する。図８は参考実施形態におけるイメージセンサユニット４の構成を示す斜視図、図９は参考実施形態における遮光部材１６の詳細な形状を示す斜視図である。
尚、前述した実施形態と同一機能を有する部材については、同一符号を付して説明を省略する。
【手続補正１７】
【補正対象書類名】明細書
【補正対象項目名】００５６
【補正方法】変更
【補正の内容】
【００５６】
図１０における（ａ）、乃至、（ｃ）は前記参考実施形態におけるイメージセンサユニット４について、導光体１１の長手方向への伸縮による第一の間隙Ａ、及び、第二の間隙Ｂの寸法変動を示した模式図である。即ち、（ａ）は導光体１１の長手方向への収縮による第一の間隙Ａ、及び、第二の間隙Ｂの寸法変動を示した模式図、（ｂ）は第一の間隙Ａ、及び、第二の間隙Ｂを示した模式図、（ｃ）は導光体１１の長手方向への伸長による第一の間隙Ａ、及び、第二の間隙Ｂの寸法変動を示した模式図である。
【手続補正１８】
【補正対象書類名】明細書
【補正対象項目名】００５８
【補正方法】変更
【補正の内容】
【００５８】
前記参考実施形態におけるイメージセンサユニット４にあっては、導光体１１における中央部に凸状の係止爪１７を設けると共に、フレーム１５に導光体１１の係止爪１７に係止される凹状の係止部１８を設ける構成である。これは、導光体１１において中央部を固定部に、両端部を自由端にすることを示している。
さらに、導光体１１の長手方向における両端部を覆う位置に第一の遮光部材１６ａ、及び、第二の遮光部材１６ｂを夫々滑動自在に遊挿される構成である。